(57)【要約】【課題】  雨水を効率的に貯留及び排出する雨水貯留槽を提供する。【解決手段】  本実施形態に係る雨水貯留槽は、雨水を貯留するための容器と、容器の内部空間のうち、雨水を貯留するための領域である第１の貯留領域と、容器の内部空間のうち、雨水を貯留するための領域である第２の貯留領域と、第１の貯留領域と前記第２の貯留領域との接続される位置に配置された仕切部とを含み構成されている。雨水貯留槽は、容器における第１の貯留領域及び第２の貯留領域のどちらか一方に雨水を貯留し、他方に仕切部を越流した雨水を貯留する。また、雨水貯留槽は、貯留された仕切部を越流した雨水を排出するために配置される排出部をさらに含むよう構成されている。【選択図】図１
2016079603.tif 000002
【特許請求の範囲】
【請求項１】
雨水を貯留するための複数の容器と、
前記容器の壁部分に貫通して配置される開口部と
を有し、
前記容器は、互いに着脱自在に構成され、
前記開口部は、前記容器を互いに接続した状態で、隣り合う２つの前記容器が互いに接続するように配置されている
雨水貯留槽。
【請求項２】
雨水を貯留するための貯留槽と、
前記貯留槽の内部空間のうち、雨水を貯留するための領域である第１の貯留領域と、
前記貯留槽の内部空間のうち、前記第１の貯留領域に隣接し、雨水を貯留するための領域である第２の貯留領域と、
前記第１の貯留領域と前記第２の貯留領域とが接続される位置に配置され、少なくとも貯留領域の床面よりも高い位置に開口を有する仕切りである仕切部と
を有し、
前記貯留槽は、前記第１の貯留領域及び前記第２の貯留領域のどちらか一方に雨水を貯留し、他方に前記仕切部を越流した雨水を貯留する
雨水貯留槽。
【請求項３】
前記第１の貯留領域と前記第２の貯留領域とを隔て、垂直壁面となる壁部材
さらに有し、
前記貯留槽は、合成樹脂素材で構成され、
前記貯留槽は、略直方体の形状に形成されている
請求項２に記載の雨水貯留槽。
【請求項４】
前記仕切部を越流した雨水を排出するために配置される排出部
をさらに有し、
前記排出部は、前記仕切部を越流した雨水を貯留する、前記第１の貯留領域、及び、前記第２の貯留領域のどちらか一方に配置される
請求項３に記載の雨水貯留槽。
【発明の詳細な説明】
【技術分野】
【０００１】
本発明は、雨水貯留槽に関するものである。
【背景技術】
【０００２】
特許文献１には、例えば、上部の側壁面（１ａ）に多数の流出孔（２）を縦横に配設した不腐食性材質の貯水槽（１）を、少なくとも流出孔（２）の周囲の貯水槽（１）外壁前に水透過材（３）を布設して地下に埋設し、水を前記貯水槽（１）内へ供給する給水手段（４）と、前記貯水槽（１）外へ汲み出す汲出し手段（５）とを備えて成る地下貯水槽装置が開示されている。
【０００３】
また、特許文献２には、建物の軒先に設けたゆるやかな勾配を有する横樋と、該横樋に雨水桝を介して接続される縦樋と、該縦樋下端に接続される地下に埋設された雨水パイプと、該雨水パイプからの雨水を貯蔵する貯水槽とを有してなり、該貯水槽は、上端部に設けた雨水がオ−バ−フロ−する排水管と、水槽の水を地上に汲み上げるポンプとを具備し、前記排水管を下水管に接続したことを特徴とする雨水を貯蔵する地下貯水槽が開示されている。
【０００４】
また、特許文献３には、水を貯える貯水槽と、該貯水槽の上方開口部を塞ぐ通水蓋板とからなり、前記貯水槽の底面又は下方側面に小透孔を形成したことを特徴とする雨水等の一時貯水槽が開示されている。
【先行技術文献】
【特許文献】
【０００５】
【特許文献１】特開平９−７１９８７号公報
【特許文献２】特開平１０−５４０６２号公報
【特許文献３】特開平５−１０６２６７号公報
【発明の概要】
【発明が解決しようとする課題】
【０００６】
本発明は、雨水を効率的に貯留及び排出する雨水貯留槽を提供することを目的とする。
【課題を解決するための手段】
【０００７】
本発明に係る雨水貯留槽は、雨水を貯留するための複数の容器と、前記容器の壁部分に貫通して配置される開口部とを有し、前記容器は、互いに着脱自在に構成され、前記開口部は、前記容器を互いに接続した状態で、隣り合う２つの前記容器が互いに接続するように配置されている。
【０００８】
本発明に係る雨水貯留槽は、雨水を貯留するための貯留槽と、前記貯留槽の内部空間のうち、雨水を貯留するための領域である第１の貯留領域と、前記貯留槽の内部空間のうち、前記第１の貯留領域に隣接し、雨水を貯留するための領域である第２の貯留領域と、前記第１の貯留領域と前記第２の貯留領域とが接続される位置に配置され、少なくとも貯留領域の床面よりも高い位置に開口を有する仕切りである仕切部とを有し、前記貯留槽は、前記第１の貯留領域及び前記第２の貯留領域のどちらか一方に雨水を貯留し、他方に前記仕切部を越流した雨水を貯留する。
【０００９】
好適には、前記第１の貯留領域と前記第２の貯留領域とを隔て、垂直壁面となる壁部材さらに有し、前記貯留槽は、合成樹脂素材で構成され、前記貯留槽は、略直方体の形状に形成されている。
【００１０】
好適には、前記仕切部を越流した雨水を排出するために配置される排出部をさらに有し、前記排出部は、前記仕切部を越流した雨水を貯留する、前記第１の貯留領域、及び、前記第２の貯留領域のどちらか一方に配置される。
【発明の効果】
【００１１】
本発明によれば、雨水を効率的に貯留及び排出することができる。
【図面の簡単な説明】
【００１２】
【図１】本実施例の構成を説明する図である。
【図２】実施例１に係る雨水貯留槽１の構成を説明する図である。
【図３】実施例１に係る雨水貯留槽１における壁体１０の構成を例示する図である。
【図４】実施例１に係る雨水貯留槽１における雨水を貯留及び排出する作用を説明する図である。
【図５】実施例２に係る雨水貯留槽１の構成を説明する図である。
【図６】実施例２に係る雨水貯留槽１における壁体１１の構成を例示する図である。
【図７】実施例２に係る雨水貯留槽１における雨水を貯留及び排出する作用を説明する図である。
【図８】実施形態に係る変形例を説明する図である。
【発明を実施するための形態】
【００１３】
以下、本発明に係る実施形態の構成を、図面を参照して説明する。ただし、本発明の範囲は、図示例に限定されるものではない。
【００１４】
まず、本実施形態に係る背景と概要とを説明する。
近年、環境や経済的コストに対する意識の高まりに伴い、例えば、自宅の敷地内に雨水を貯留し利用するための雨水タンクを設置する設置者が増加している。そのため、雨水タンクは、簡易的に設置できる小型の雨水タンクや地下に埋設する型の雨水タンク等がある。しかし、これら雨水タンクは、雨水を貯留する目的であるため、満水になればそれ以上の雨水を貯留することができない。そのため、雨水タンクの満水時における大雨等が発生した場合には、さらに雨水を貯留することができないため、都市型水害の抑止に利用しにくい虞があった。
そこで、本実施形態に係る雨水貯留槽は、雨水タンクのうち、常時雨水を貯留する領域と、雨水を貯留できる量を上回った量を一時的に貯留する領域とを備えるよう構成する。
【００１５】
本実施形態に係る雨水貯留槽は、雨水を貯留するための複数の容器と、容器の壁部分に貫通して配置される開口部とを含み構成されている。雨水貯留槽は、互いに着脱自在である容器を接続した状態で、隣り合う２つの前記容器が互いに接続するように配置されている。
このように、雨水貯留槽は、雨水を貯留するための容器を複数の容器で構成とすることにより、施工時において、運搬し易くなり、容器の大きさを適宜に選択することができる。また、雨水貯留槽は、複数の容器を互いに接続した状態で配置するため、それぞれの容器の壁部分が雨水を貯留するための容器の内部における補強材として機能する。
【００１６】
また、本実施形態に係る雨水貯留槽は、雨水を貯留するための貯留槽と、貯留槽の内部空間のうち、雨水を貯留するための領域である第１の貯留領域と、貯留槽の内部空間のうち、第１の貯留領域に隣接し、雨水を貯留するための領域である第２の貯留領域と、第１の貯留領域と前記第２の貯留領域との接続される位置に配置され、少なくとも貯留領域の床面よりも高い位置に開口を有する仕切りである仕切部とを含み構成されている。雨水貯留槽は、貯留槽における第１の貯留領域及び第２の貯留領域のどちらか一方に雨水を貯留し、他方に仕切部を越流した雨水を貯留する。
また、雨水貯留槽は、第１の貯留領域と第２の貯留領域とを隔て、垂直壁面となる壁部材さらに含んで構成されている。また、貯留槽は、合成樹脂素材で構成されている。
また、貯留槽は、略直方体の形状に形成されている。雨水貯留槽は、貯留された仕切部を越流した雨水を排出するために配置される排出部をさらに含むよう構成されている。
このように、雨水貯留槽は、２つの貯留領域のうち、一方の貯留領域に雨水を貯留し、他方の貯留領域に、一方の貯留領域の貯留量を超える量の雨水を貯留する。雨水貯留槽は、例えば、晴天時において、一方の貯留領域に雨水を常時貯留することで設置者の利用する雨水を確保することができる。また、雨水貯留槽は、雨天時において、一方の貯留領域に貯留する量を上回る量の雨水を他方の貯留領域に貯留し、貯留された雨水を排出部から排出することによって、他方の貯留領域に一時的に雨水を貯留することができる。よって、雨水貯留槽は、一度に排出する雨水の排出量を抑えることができるため、例えば、都市洪水等の発生を抑制する効果が期待できる。
【００１７】
次に、本実施例の概要を説明する。
図１は、本実施例の構成を説明する図である。
図１（ａ）は、本実施例の概要を説明する正面図であり、図１（ｂ）は、本実施例の概要を説明する側面図である。
図１に例示するように、雨水貯留槽１は、貯留槽３、供給部４、排出部６、及び、取出部８を含んで構成されている。
［貯留槽３］
貯留槽３は、本発明に係る容器の一例である。
貯留槽３は、雨水を貯留するための容器である。貯留槽３は、例えば、略俵型状、略円柱状、略立方体、及び、略直方体状に形成されている。本実施形態の貯留槽３は、略直方体状に形成される場合を一例として具体的に説明する。
貯留槽３は、略直方体状に形成された場合、例えば、長手方向が例えば約４．８ｍから約５.２ｍであり、短手方向が例えば約２．３ｍ〜約２．７ｍであり、高さが例えば約１ｍ以下であり、好ましくは約０．３ｍ〜約０．５ｍとなるよう構成されている。このように、貯留槽３は、貯留槽３の高さを低くするように略直方体に形成されることにより、設置者は、地中に埋設するときに掘削する深さを浅くすることができるため、容易に施工することができる。また、貯留槽３は、複数の容器を互いに接続する構成としてもよいし、貯留槽３の内部領域を分割する構成としてもよい。
また、貯留槽３は、例えば、金属素材、及び、合成樹脂素材で構成されている。貯留槽３は、金属素材で構成されている場合、例えば、ステンレス鋼で構成されている。また、貯留槽３は、合成樹脂で構成されている場合、例えば、ポリエチレン樹脂、高密度ポリエチレン樹脂、及び、繊維強化プラスチック等で形成される。本実施形態の貯留槽３は、ポリエチレン樹脂で形成される場合を一例として具体的に説明する。貯留槽３は、ポリエチレン樹脂で形成されることにより、安価に製造でき、さらに軽量化を図ることができる。
また、貯留槽３は、金属素材、及び、合成樹脂素材だけではなく、例えば、コンクリートで構成されてもよい。具体的には、貯留槽３は、繊維補強コンクリート（ＦＲＣ：Ｆｉｂｅｒ Ｒｅｉｎｆｏｒｃｅｄ Ｃｏｎｃｒｅｔｅ）や超高強度繊維補強コンクリート（ＵＦＣ：Ｕｌｔｒａ  ｈｉｇｈ  ｓｔｒｅｎｇｔｈ  Ｆｉｂｅｒ  ｒｅｉｎｆｏｒｃｅｄ  Ｃｏｎｃｒｅｔｅ）で構成されてもよい。これら繊維補強コンクリートは、例えば、鋼、ガラス、又は、炭素で構成された繊維材料を含むよう構成される。
【００１８】
また、図１に例示するように、貯留槽３は、供給部４と、排出部６とが接続されている。貯留槽３は、地下に埋設され、供給部４に接続された樋（雨樋）により集められた雨水を貯留することにより、雨水貯留槽として機能する。また、貯留槽３は、排出部６により、貯留された雨水のうち貯留できない一部の雨水を地中や排水管等に排出される。本実施例の貯留槽３は、建築物等の屋根から雨樋を介して雨水を収集する場合を具体例として説明するが、路面、庭、及び、駐車場等から雨水を収集するように構成してもよい。
【００１９】
［供給部４］
供給部４は、貯留槽３に接続されて配置される管材である。供給部４は、建造物に取り付けられる雨樋と接続されており、雨樋により集められた雨水を貯留槽３に供給する。本実施例の供給部４は、貯留槽３の側面側に配置される場合を具体例として説明するが、貯留槽３の天板面側に配置されてもよい。
【００２０】
［排出部６］
排出部６は、本発明に係る排出部の一例である。
排出部６は、貯留槽３に接続されて配置される管材である。排出部６は、貯留槽３に貯留された雨水の一部を、地中に排出するよう構成されてもよいし、また、既存の排水管等に排出するよう構成されてもよい。本実施例の排出部６は、貯留槽３の床面側に配置される場合を具体例として説明するが、貯留槽３の側面側に配置されてもよい。
【００２１】
［取出部８］
取出部８は、貯留槽３の天板面側に設けられる穴である。取出部８は、例えば、蓋等を用いて開閉できるよう構成される。取出部８は、設置者により、貯留槽３に貯留される雨水を汲み出すために取り付けられている。
【００２２】
［実施例１］
実施例１では、貯留槽３を複数の容器２で構成する場合を説明する。
図２は、実施例１に係る雨水貯留槽１の構成を説明する図である。
図２（ａ）は、雨水貯留槽１を模式的に例示する斜視図であり、図２（ｂ）は、図１の雨水貯留槽１におけるＹ−Ｙ視野断面を例示する図である。また、図２（ｃ）は、図１の雨水貯留槽１におけるＺ−Ｚ視野断面を例示する図である。
［容器２］
図２（ａ）に例示するように、貯留槽３は、複数の容器２を互いに着脱自在に接続して構成されている。換言すると、容器２は、例えば、容器２ａ〜２ｅを互い接続した状態で、隣り合う２つの前記容器が互いに接続するように配置されていることで、貯留槽３を構成している。貯留槽３は、容器２ａと容器２ｂ、容器２ｂと容器２ｃ、容器２ｃと容器２ｄ、及び、容器２ｄと容器２ｅのそれぞれの壁部分を互いに着脱自在に接続している。また、貯留槽３は、容器２ａに供給部４を接続され、容器２ｅに排出部６を接続されている。また、貯留槽３は、容器２ｂに取出部８を配置されている。
なお、容器２は、本発明に係る容器の一例である。
【００２３】
［壁体１０］
図２（ｂ）に例示するように、壁体１０は、複数の容器を互いに接続し、隣り合う２つの容器の壁面９を互いに接続して構成されている。そのため、壁体１０の厚さは、容器２における壁面９の約２倍の厚さとなっている。
ここで、本実施例１では、容器２ａの壁面９と、容器２ｂの壁面９とを互いに接続した壁部分を壁体１０ａとし、容器２ｂの壁面９と、容器２ｃの壁面９とを互いに接続した壁部分を壁体１０ｂとする。また、容器２ｃの壁面９と、容器２ｄの壁面９とを互いに接続した壁部分を壁体１０ｃとし、容器２ｄの壁面９と、容器２ｅの壁面９とを互いに接続した壁部分を壁体１０ｄとする。
また、図２（ｃ）に例示するように、これら壁体１０には、壁体１０を貫通して配置される開口１５が配置される。壁体１０は、互いに接続する隣り合う容器の内部領域を接続するよう開口１５を配置されることにより、互いに接続する容器の内部領域を仕切っている。よって、壁体１０は、貯留槽３の内部領域を仕切る役割と、容器２ａ〜２ｅの壁面９（壁面１０）としての役割とを兼用している。また、壁体１０は、垂直壁面となるよう構成され、さらに、複数配置されることにより、貯留槽３の上から加えられる荷重に耐えることができる。
【００２４】
［開口１５］
開口１５は、本発明に係る開口部の一例である。
図２（ｃ）に例示するように、貯留槽３は、壁体１０を貫通して開口１５が配置されている。開口１５は、容器２ａ〜２ｅを互いに接続した状態で、隣り合う２つの容器が互いに接続するように配置されている。開口１５は、複数の容器２ａ〜２ｅを互いに接続した壁体１０ａ〜１０ｄそれぞれに貫通して配置されている。開口１５は、壁体１０を貫通して配置されるため、異なる容器２の内部の領域を互いに接続している。開口１５は、壁体１０に配置する数や大きさによって、隣り合う容器２に供給する雨水の量を調整する。開口１５は、壁体１０に複数配置されてもよいし、少なくとも一部に配置されてもよい。開口１５は、少なくとも容器２の床面よりも高い位置に配置されている。
【００２５】
図３は、実施例１に係る雨水貯留槽１における壁体１０の構成を例示する図である。
図３（ａ）は、図２に例示する雨水貯留槽１のＡ−Ａ視野を例示する図であり、図３（ｂ）は、図２に例示する雨水貯留槽１のＢ−Ｂ視野を例示する図である。また、図３（ｃ）は、図２に例示する雨水貯留槽１のＣ−Ｃ視野を例示する図である。
図３（ａ）に例示するように、壁体１０ｂは、容器２ｂの天板面である上方側（地上側）に複数の開口１５を配置されている。貯留槽３は、壁体１０ｂのうち、容器２ｂの天板面となる位置に開口１５を配置することにより、開口１５を配置される位置まで容器２ｂの内部に雨水を貯留することができる。
一方、図３（ｂ）に例示するように、壁体１０ｃは、容器２ｃの床面（地板面）となる下方側（地下側）に複数の開口１５を配置されている。容器２ｃは、壁体１０ｃのうち、容器２ｂの下方側となる位置に開口１５を配置することにより、開口１５を介して互いに隣り合う容器２ｃと容器２ｄとに雨水を貯留することができる。
また、図３（ｃ）に例示するように、壁体１０ｄは、例えば、容器２ｄの上方側だけなく、中央側や下方側となる位置にも、互いに間隔をあけて複数の開口１５を配置されている。容器２ｄは、互いに間隔をあけて開口１５を壁体１０ｄに配置することにより、容器２ｄに貯留する雨水の量（水位）に応じて容器２ｅに雨水を供給する量を調節することができる。
このように、壁体１０は、開口１５を配置されている。
【００２６】
図４は、実施例１に係る雨水貯留槽１における雨水を貯留及び排出する作用を説明する図である。
図４（ａ）は、貯留槽３に雨水を貯留する状態を例示する図であり、図４（ｂ）、図４（ｃ）及び図４（ｄ）は、貯留槽３に雨水を貯留し、一部の雨水を排出する状態を例示する図である。
まず、図４（ａ）に例示するように、雨水は、雨樋によって集められ、雨樋に接続される供給部４を介して、貯留槽３に貯留される。
容器２ａの壁面９と、容器２ｂの壁面９とを互いに接続した壁体１０ａにおいて、雨水は、壁体１０ａの下方側に貫通して配置される開口１５を介して、容器２ａ及び容器２ｂに貯留される。
一方、容器２ｂの壁面９と、容器２ｃの壁面９とを互いに接続した壁体１０ｂにおいて、雨水は、壁体１０ｂの上方側に貫通して配置される開口１５を越流しない。
よって、雨水は、壁体１０ｂ上方側に貫通して配置される開口１５を越流しない範囲において、容器２ａ及び容器２ｂに貯留される。設置者は、容器２ａ及び容器２ｂに貯留される雨水を取出部８から汲み出して使用することができる。また、設置者は、貯留される雨水の量が少ない場合であっても、容器２ａ及び容器２ｂのみに雨水を貯留されるため、汲み出しやすい。
【００２７】
次に、図４（ｂ）に例示するように、雨水は、図４（ａ）よりさらに貯留槽３に供給される。
雨水は、さらに容器２ａ及び容器２ｂに供給されることにより、壁体１０ｂの上方側に位置する開口１５を越流する。越流した雨水は、容器２ｃに供給される。
容器２ｃの壁面９と、容器２ｄの壁面９とを互いに接続した壁体１０ｃにおいて、雨水は、壁体１０ｃの下方側に貫通して配置される開口１５を介して、容器２ｃ及び容器２ｄに貯留される。
一方、容器２ｄの壁面９と、容器２ｅの壁面９とを互いに接続した壁体１０ｄにおいて、雨水は、上方側、中央側、及び、下方側となる位置に互いに間隔をあけて配置される複数の開口１５のうち、下方側に配置された開口１５を介して、容器２ｃ及び容器２ｄから容器２ｅに供給され、容器２ｅに接続された排出部６から貯留槽３の外部に排出される。
【００２８】
次に、図４（ｃ）に例示するように、雨水は、図４（ｂ）よりさらに貯留槽３に供給される。
雨水は、容器２ｃ及び容器２ｄから容器２ｅに供給される雨水の量より、容器２ａ及び容器２ｂに供給される雨水の量が多くなることにより、容器２ｃ及び容器２ｄに貯留される雨水の量が増加する。雨水は、壁体１０ｄに配置された開口１５のうち、下方側となる位置に配置された開口１５だけでなく、中央側となる位置に配置された開口１５からも越流して、容器２ｃ及び容器２ｄから容器２ｅに供給され、排出部６から貯留槽３の外部に排出される。
【００２９】
次に、図４（ｄ）に例示するように、雨水は、図４（ｃ）よりさらに貯留槽３に供給される。
雨水は、さらに、容器２ｃ及び容器２ｄから容器２ｅに供給される雨水の量より、容器２ａ及び容器２ｂに供給される雨水の量が増加する。雨水は、壁体１０ｄに配置された開口１５のうち、中央側及び下方側となる位置に配置された開口１５だけでなく、上方側となる位置に配置された開口１５からも越流して、容器２ｃ及び容器２ｄから容器２ｅに供給され、排出部６から貯留槽３の外部に排出される。
このように、雨水貯留槽１は、雨水を貯留し、一部の雨水を排出することができるため、貯留槽３の外部に一度に排出する雨水の量を抑えることが期待できる。
【００３０】
［実施例２］
実施例２では、貯留槽３の内部領域を分割する構成とする場合を説明する。
図５は、実施例２に係る雨水貯留槽１の構成を説明する図である。
図５（ａ）は、雨水貯留槽１を模式的に例示する斜視図であり、図５（ｂ）は、図１の雨水貯留槽１におけるＹ−Ｙ視野断面を例示する図である。また、図５（ｃ）は、図１の雨水貯留槽１におけるＺ−Ｚ視野断面を例示する図である。
【００３１】
［貯留槽３］
図５（ａ）に例示するように、貯留槽３は、一つの槽で構成されている。また、図５（ｂ）及び図５（ｃ）に例示するように、貯留槽３は、貯留槽３の内部空間のうち、雨水を貯留するための領域である第１の貯留領域２ｓと、貯留槽３の内部空間のうち、第１の貯留領域２ｓに隣接し、雨水を貯留するための領域である第２の貯留領域２ｔとを含むよう構成されている。貯留槽３は、少なくとも、第１の貯留領域２ｓと、第２の貯留領域２ｔとの接続される位置に壁体１１を配置されている。また、貯留槽３は、壁体１１を第１の貯留領域２ｓの内部領域にも配置されている。また、貯留槽３は、壁体１１を第２の貯留領域２ｓの内部領域にも配置されている。なお、第１の貯留領域２ｓは、本発明に係る第１の貯留領域であり、第２の貯留領域２ｔは、本発明に係る第２の貯留領域である。
また、貯留槽３は、第１の貯留領域２ｓに供給部４を接続され、第２の貯留領域２ｔに排出部６を接続されている。また、貯留槽３は、第１の貯留領域２ｓに取出部８を配置されている。
【００３２】
［壁体１１］
図５（ｂ）及び図５（ｃ）に例示するように、壁体１１は、少なくとも貯留槽３における第１の貯留領域２ｓと、第２の貯留領域２ｔとの接続される位置に配置されている。さらに、壁体１１は、第１の貯留領域２ｓの内部領域にも配置され、また、第２の貯留領域２ｔの内部領域にも配置されている。
壁体１１は、貯留槽３の天板面から地板面に連続して構成された壁部１１ａと、天板面から地板面に連続して構成された壁面に、少なくとも貯留領域の床面よりも高い位置に開口１６を配置された仕切部１１ｂとを含んで構成されている。
なお、壁部１１ａは、本発明に係る壁部材であり、仕切部１１ｂは、本発明に係る仕切部の一例である。
【００３３】
図５（ｂ）に例示するように、壁部１１ａは、第１の貯留領域２ｓと、第２の貯留領域２ｔとを隔てている。また、壁部１１ａは、第１の貯留領域２ｓの内部領域にも配置され、配置された壁体１１における壁部１１ａにより、第１の貯留領域２ｓの内部領域をさらに隔てている。また、壁部１１ａは、第２の貯留領域２ｔの内部領域にも配置され、配置された壁体１１における壁部１１ａにより、第２の貯留領域２ｔの内部領域をさらに隔てている。また、壁部１１ａは、貯留槽３の内部で垂直の壁面となるよう配置され、さらに複数配置されている。
壁部１１ａは、垂直の壁面となるように配置されることにより、例えばリブのように機能するため補強材となる。さらに、壁部１１ａは、複数配置されることにより、地上から加えられる荷重（例えば、車等の重さ）に耐えるよう構成することができる。
また、図５（ｃ）に例示するように、仕切部１１ｂは、第１の貯留領域２ｓと、第２の貯留領域２ｔとの接続される位置に配置されてこれら領域を仕切っている。また、仕切部１１ｂは、第１の貯留領域２ｓの内部領域にも配置され、配置された壁体１１における仕切部１１ｂにより、第１の貯留領域２ｓの内部領域をさらに仕切っている。また、壁体１１は、第２の貯留領域２ｔの内部領域にも配置され、配置された壁体１１における仕切部１１ｂにより、第２の貯留領域２ｔの内部領域をさらに仕切っている。仕切部１１ｂは、配置された開口１６を介して互いの領域を接続される位置に配置されている。
【００３４】
［開口１６］
図５（ｃ）に例示するように、貯留槽３は、壁体１１を貫通して開口１６を配置されている。具体的には、開口１６は、壁体１１のうち仕切部１１ｂとなる位置に配置され、貯留槽３の床面よりも高い位置に配置されている。開口１６は、仕切部１１ｂに配置する数や大きさによって供給する雨水の量を調整する。
【００３５】
図６は、実施例２係る雨水貯留槽１における壁体１１の構成を例示する図である。
図６（ａ）は、図５に例示する雨水貯留槽１のＥ−Ｅ視野を例示する図であり、図６（ｂ）は、図５に例示する雨水貯留槽１のＦ−Ｆ視野を例示する図である。また、図６（ｃ）は、図５に例示する雨水貯留槽１のＧ−Ｇ視野を例示する図である。
図６（ａ）に例示するように、壁体１１は、貯留槽３における第１の貯留領域２ｓと、第２の貯留領域２ｔとの接続される位置に配置されている。壁体１１のうち仕切部１１ｂは、貯留槽３の天板面である上方側（地上側）に複数の開口１６を配置されている。また、この壁体１１のうち壁部１１ａは、壁として機能する。また、壁部１１ａは、壁体１１に複数含まれるため、貯留槽３の潰れや天面板のたわみ防止材として機能している。また、壁部１１ａは、開口１６を配置されていない。
図６（ｂ）に例示するように、壁体１１は、貯留槽３における第２の貯留領域２ｔの内部領域に配置されている。壁体１１のうち仕切部１１ｂは、貯留槽３の地板面となる下方側（地下側）に複数の開口１６を配置されている。また、壁体１１のうち壁部１１ａは、壁として機能する。また、壁部１１ａは、壁体１１に複数含まれるため、貯留槽３の潰れや天面板のたわみ防止材として機能している。また、壁部１１ａは、開口１６を配置されていない。
また、図６（ｃ）に例示するように、壁体１１は、貯留槽３における第２の貯留領域２ｔの内部領域に配置されている。壁体１１のうち仕切部１１ｂは、例えば、貯留槽３の上方側だけなく、中央側や下方側となる位置にも、互いに間隔をあけて複数の開口１６を配置されている。仕切部１１ｂは、開口１６を上方側、中央側、及び、下方側と壁体１１に配置することにより、第２の貯留領域２ｔに貯留する雨水の量（水位）に応じて排出部６から排出される雨水の量を調節することができる。
また、壁体１１のうち壁部１１ａは、壁として機能する。また、壁部１１ａは、壁体１１に複数含まれるため、貯留槽３の潰れや天面板のたわみ防止材として機能している。また、壁部１１ａは、開口１６を配置されていない。
このように、壁体１１は、壁部１１ａと仕切部１１ｂとにより構成されている。
【００３６】
図７は、実施例２に係る雨水貯留槽１における雨水を貯留及び排出する作用を説明する図である。
図７（ａ）は、貯留槽３に雨水を貯留する状態を例示する図であり、図７（ｂ）、図７（ｃ）及び図４（ｄ）は、貯留槽３に雨水を貯留し、一部の雨水を排出する状態を例示する図である。
まず、図７（ａ）に例示するように、雨水は、雨樋によって集められ、雨樋に接続される供給部４を介して、第１の貯留領域２ｓに貯留される。
第１の貯留領域２ｓと、第２の貯留領域２ｔとの接続される位置に配置された壁体１１の仕切部１１ｂにおいて、雨水は、仕切部１１ｂの上方側に貫通して配置されているため、開口１６を越流しない。よって、雨水は、仕切部１１ｂの上方側に貫通して配置される開口１６を越流しない範囲において、第１の貯留領域２ｓに貯留される。
また、設置者は、第１の貯留領域２ｓに貯留される雨水を取出部８から汲み出し使用することができる。
【００３７】
次に、図７（ｂ）に例示するように、雨水は、図７（ａ）よりさらに第１の貯留領域２ｓに供給される。
雨水は、さらに第１の貯留領域２ｓに供給されることにより、第１の貯留領域２ｓと、第２の貯留領域２ｔとの接続される位置に配置された壁体１１の仕切部１１ｂを越流する。越流した雨水は、第２の貯留領域２ｔに供給される。
また、第２の貯留領域２ｔの内部領域に配置された壁体１１のうち、排出部８の配置される領域と、この領域以外とを隔てる壁体１１の仕切部１１ｂにおいて、雨水は、上方側、中央側、及び、下方側となる位置に配置される複数の開口１６のうち、下方側に配置された開口１６を越流して排出部６から貯留槽３の外部に排出される。
【００３８】
次に、図７（ｃ）に例示するように、雨水は、図７（ｂ）よりさらに第１の貯留領域２ｓに供給される。
雨水は、第１の貯留領域２ｓに供給される雨水の量が多くなることによって、排出部８から排出される量より第２の貯留領域２ｔに貯留される量が増加する。雨水は、第２の貯留領域２ｔに貯留される量が増加することにより水位が上昇するため、仕切部１１ｂのうち、下方側となる位置に配置された開口１６だけでなく、中央側となる位置に配置された開口１６からも越流して排出部６から貯留槽３の外部に排出される。
【００３９】
次に、図７（ｄ）に例示するように、雨水は、図７（ｃ）よりさらに第１の貯留領域２ｓに供給される。
雨水は、さらに第１の貯留領域２ｓに貯留されることにより、第２の貯留領域２ｔに貯留される量が増加する。雨水は、壁体１１に配置された開口１６のうち、中央側及び下方側となる位置に配置された開口１６だけでなく、上方側となる位置に配置された開口１６からも越流して排出部６から貯留槽３の外部に排出される。
このように、雨水貯留槽１は、雨水を貯留し、一部の雨水を排出することができるため、貯留槽３の外部に一度に排出する雨水の量を抑えることが期待できる。
【００４０】
以上説明したように、本実施形態に係る雨水貯留槽１は、貯留槽３を複数の容器２で着脱自在に構成することにより、設置者の設置したい貯留槽３の大きさに合わせて貯留槽３の大きさを適宜に変更することができる。また、雨水貯留槽１は、貯留槽３を合成樹脂で構成することにより、軽量とすることができ、さらに安価に製作することができる。
また、雨水貯留槽１は、貯留槽３を複数の容器で構成とすることにより、施工時において、運搬し易くなる。また、雨水貯留槽１は、貯留槽３を略直方体に構成して貯留槽３の高さを低く構成することにより、貯留槽３を埋設するための掘削する深さを浅くすることができるため、設置者は施工しやすくなる。
【００４１】
また、雨水貯留槽１は、貯留槽３を一つの槽で構成し、貯留槽３の内部空間のうち、雨水を貯留するための領域である第１の貯留領域２ｓと第２の貯留領域２ｔとを設け、これら２つの領域の接続される位置に壁体１１に含まれる仕切部１１ｂを配置する。また、雨水貯留槽１は、第１の貯留領域２ｓから仕切部１１ｂを越流した雨水を第２の貯留領域２ｔで貯留し、第２の貯留領域２ｔに貯留された雨水を排出部６から排出する。このように、雨水貯留槽１は、第１の貯留領域２ｓから越流した雨水を第２の貯留領域２ｔに一時的に雨水を貯留することができる。よって、雨水貯留槽は、一度に排出する雨水の排出量を抑えることができるため、例えば、都市洪水等の発生を抑制する効果が期待できる。
また、雨水貯留槽１は、雨水を常時貯留する領域である第１の貯留領域２ｓから優先的に雨水を貯留することができ、さらに、第１の貯留領域２ｓから第２の貯留領域２ｔに越流した雨水を貯留槽３の外部に自然に排出することができる。
【００４２】
また、雨水貯留槽１は、貯留槽３の内部を壁体１１の壁部１１ａによって区切られ、壁体１１の仕切部１１ｂに仕切られているため、第１の貯留領域２ｓに貯留された雨水の水量が少ない場合であっても、貯留された雨水の水位を高い状態で貯留できる。よって、雨水貯留槽１は、設置者により貯留された雨水を汲み出しやすい状態で貯留することができる。
また、雨水貯留槽１は、貯留槽３の内部に、垂直に配置された壁部１１ａを複数配置することにより、上部からの荷重に耐えるよう構成することができる。  
以上、本発明に係る実施形態について説明したが、これらに限定されるものではなく、発明の趣旨を逸脱しない範囲内において、種々の変更、追加等が可能である。
【００４３】
［変形例］
次に、本実施形態に係る変形例を説明する。
図８は、実施形態に係る変形例を説明する図である。
図８（ａ）は、実施例２に係る変形例を説明する図であり、図８（ｂ）は、図８（ａ）に例示する貯留槽３の内部を説明する断面図である。
本変形例では、実施例２の貯留槽３を一例として説明するが、実施例１の貯留槽３にも用いることもできる。
図８（ａ）に例示するように、本変形例では、貯留槽３に塞止板２２を配置する場合を説明する。
塞止板２２は、例えば、板状に形成され、貯留槽３の内部に配置される開口１６を塞ぐよう配置される。具体的には、図８（ｂ）に例示するように、塞止板２２は、第２の貯留領域２ｔに越流した雨水を排出部６から排出されないよう仕切部１１ｂを塞ぐよう配置されている。本例では、塞止板２２は、仕切部１１ｂのうち、天板面である上方側にある開口１６を除いた開口１６を塞いでいる。貯留槽３は、塞止板２２により仕切部１１ｂの一部の開口１６を塞がれるにより、第２の貯留領域２ｔに雨水を貯留するとともに、貯留槽３から雨水が溢れないようにすることができる。
塞止板２２は、仕切部１１ｂにある開口１６を塞ぐことにより、第２の貯留領域２ｔにも雨水を貯留することができる。また、設置者は、塞止板２２を貯留槽３から取り除くことにより、第２の貯留領域２ｔに貯留されている雨水を排出することができる。
このように、雨水貯留槽１は、塞止板２２を貯留槽３に配置することにより、第１の貯留領域２ｓだけでなく、第２の貯留領域２ｔにも雨水を貯留することができる。
【００４４】
また、図８（ａ）に例示するように、雨水貯留槽１は、貯留槽３に窓部２０を配置するよう構成してもよい。設置者は、貯留槽３に窓部２０を配置することにより、貯留槽３の内部の点検や清掃を行うことができる。
【符号の説明】
【００４５】
１        雨水貯留槽
３        貯留槽
２ａ〜２ｅ      容器
４        供給部
６        排出部
８        取出部
９        壁面
１０  １１    壁体
１１ａ    壁部
１１ｂ    仕切部
１５、１６    開口
２ｓ    第１の貯留領域
２ｔ    第２の貯留領域
【図１】
2016079603.tif 000003
【図２】
2016079603.tif 000004
【図３】
2016079603.tif 000005
【図４】
2016079603.tif 000006
【図５】
2016079603.tif 000007
【図６】
2016079603.tif 000008
【図７】
2016079603.tif 000009
【図８】
2016079603.tif 000010